(57)【要約】【課題】  本発明は目地プレート上を車両が走行し、吊り金具収納ケースと吊り金具との隙間にゴミや土砂等が入り込んでも、比較的容易に吊り金具を上方へスライド移動させることができ、メンテナンスを容易に行なうことができる目地プレートを得るにある。【解決手段】  四角形状の浅皿状に形成された目地プレート本体と、この目地プレート本体の少なくとも後部両側部寄りの部位に形成された吊り金具収納ケースと、これらの吊り金具収納ケースの中央上部寄りの部位にそれぞれ固定された支持軸と、これらの支持軸が挿入される上部に位置した場合には外方へ突出する上下方向の長孔が形成された吊り金具収納ケース内にそれぞれ上下方向にスライド移動可能に取付けられた吊り金具と、これらの吊り金具の上面に形成された該吊り金具を吊り金具収納ケースより上方へ棒状部材を差し込んで引き出す棒状部材挿入孔とで目地プレートを構成している。【選択図】  図３
2009013655.tif 000002
【特許請求の範囲】
【請求項１】
四角形状の浅皿状に形成された目地プレート本体と、この目地プレート本体の少なくとも後部両側部寄りの部位に形成された吊り金具収納ケースと、これらの吊り金具収納ケースの中央上部寄りの部位にそれぞれ固定された支持軸と、これらの支持軸が挿入される上部に位置した場合には外方へ突出する上下方向の長孔が形成された、前記吊り金具収納ケース内にそれぞれ上下方向にスライド移動可能に取付けられた吊り金具と、これらの吊り金具の上面に形成された該吊り金具を前記吊り金具収納ケースより上方へ、ドライバーや針金等の棒状部材を差し込んで引き出す棒状部材挿入孔とを備えることを特徴とする目地プレート。
【請求項２】
棒状部材挿入孔は長孔内に貫通するように形成されていることを特徴とする請求項１記載の目地プレート。  
【発明の詳細な説明】
【技術分野】
【０００１】
本発明は目地部を介して設けられた車両の走行が可能な左右の床躯体間の目地部を覆う目地プレートに関する。
【背景技術】
【０００２】
従来の、この種目地プレートは四角形状の浅皿状に形成された目地プレート本体と、この目地プレート本体をワイヤーで吊り上げることができる少なくとも３個所の部位に設けられた吊り金具収納凹部と、この吊り金具収納凹部内にそれぞれ回動あるいは上下移移動可能に取付けられた、回動あるいは上方へ移動させることにより、該吊り金具収納凹部の上面よりワイヤー挿入孔が形成された一部が上方へ突出する吊り金具とで構成されている。
【０００３】
このように構成された目地プレートは目地プレート上を車両が走行するため、吊り金具と吊り金具収納凹部内にゴミや土砂等が入り込む可能性が高く、メンテナンス時に吊り金具が移動しなくなり、吊り金具を移動させるために大変な作業になるという欠点があった。
【特許文献１】特開２００５−２４０３７４
【発明の開示】
【発明が解決しようとする課題】
【０００４】
本発明は以上のような従来の欠点に鑑み、目地プレート上を車両が走行し、吊り金具収納ケースと吊り金具との隙間にゴミや土砂等が入り込んでも、比較的容易に吊り金具を上方へスライド移動させることができ、メンテナンスを容易に行なうことができる目地プレートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は四角形状の浅皿状に形成された目地プレート本体と、この目地プレート本体の少なくとも後部両側部寄りの部位に形成された吊り金具収納ケースと、これらの吊り金具収納ケースの中央上部寄りの部位にそれぞれ固定された支持軸と、これらの支持軸が挿入される上部に位置した場合には外方へ突出する上下方向の長孔が形成された、前記吊り金具収納ケース内にそれぞれ上下方向にスライド移動可能に取付けられた吊り金具と、これらの吊り金具の上面に形成された該吊り金具を前記吊り金具収納ケースより上方へ、ドライバーや針金等の棒状部材を差し込んで引き出す棒状部材挿入孔とで目地プレートを構成している。
【発明の効果】
【０００７】
以上の説明から明らかなように、本発明にあっては次に列挙する効果が得られる。
【０００８】
（１）四角形状の浅皿状に形成された目地プレート本体と、この目地プレート本体の少なくとも後部両側部寄りの部位に形成された吊り金具収納ケースと、これらの吊り金具収納ケースの中央上部寄りの部位にそれぞれ固定された支持軸と、これらの支持軸が挿入される上部に位置した場合には外方へ突出する上下方向の長孔が形成された、前記吊り金具収納ケース内にそれぞれ上下方向にスライド移動可能に取付けられた吊り金具と、これらの吊り金具の上面に形成された該吊り金具を前記吊り金具収納ケースより上方へ、ドライバーや針金等の棒状部材を差し込んで引き出す棒状部材挿入孔とで構成されているので、車両が走行し、吊り金具を押し圧したり、ゴミや土砂等が吊り金具と吊り金具収納ケースの隙間に入り込んでも、メンテナンス時に棒状部材挿入孔にドライバーや針金を押し込むことにより、吊り金具を上方へ移動させることができる。
したがって、吊り金具の長孔にワイヤーが取付けられたシャックル等を取付けることにより、クレーン等で吊り上げ、メンテナンスを行なうことができる。
【０００９】
（２）前記（１）によって、吊り金具に棒状部材挿入孔を形成するだけであるので、容易に実施することができるとともに、棒状部材挿入孔がゴミや土砂等で覆われても、ドライバーや針金によって棒状部材挿入孔内のゴミや土砂を短時間に除去することができる。
【００１０】
（３）請求項２も前記（１）、（２）と同様な効果が得られるとともに、棒状部材挿入孔に挿入されたゴミや土砂等をドライバーや針金によって、長孔内へ簡単に押し込み、吊り金具を上部へ引き出すことができる。
したがって、より短時間にクレーン等によって目地プレートを吊り上げることができる。
【発明を実施するための最良の形態】
【００１１】
以下、図面に示す本発明を実施するための最良の形態により、本発明を詳細に説明する。
【００１２】
図１ないし図１１に示す本発明を実施するための最良の第１の形態において、１は目地部２を介して設けられた車両等の走行が可能な左右の床躯体３、３間の目地部２を覆う本発明の目地プレートで、この目地プレート１は前記左右の床躯体３、３の目地部２側に形成された、該目地プレート１の後端部を支持する後部支持凹部４と先端部を支持する反目地部側が傾斜面５の前部支持凹部６に支持されるもので、四角形状の浅皿状に金属材で形成された目地プレート本体７と、この目地プレート本体７の後部両側部寄りの部位に形成された吊り金具収納ケース８、８と、この吊り金具収納ケース８、８の中央上部寄りの部位にそれぞれ固定された支持軸９、９と、この支持軸９、９が挿入される上部に位置した場合には外方へ突出する上下方向の長孔１０、１０が形成された前記吊り金具収納ケース８、８内にそれぞれ隙間なく上下方向にスライド移動可能に取付けられた板状の吊り金具１１、１１と、この吊り金具１１、１１の上面に前記長孔１０、１０内と貫通するように逆ハ字状に形成された、該吊り金具１１、１１を前記吊り金具収納ケース８、８より上方へドライバーや針金等の棒状部材１２、１２を差し込んで引き出す棒状部材挿入孔１３、１３と、前記目地プレート本体７内に充填されたモルタルあるいはコンクリート１４および、このモルタルあるいはコンクリート１４の上部に、上部が該目地プレート本体７の上部とほぼ同一面となるように設置されたタイルあるいは化粧床材等の床材１５と、前記目地プレート本体７の先端部の上部にヒンジ部材１６を介して回動可能に取付けられた補助目地カバー１７と、前記吊り金具収納ケース８、８と一体形成された前記後部支持凹部４に固定されたクサビ状の支持片１８、１８が挿入されるように、前記目地プレート本体７に形成された貫通孔１９、１９部位に設けた蓋２０付きの支持片挿入ケース２１とで構成されている。
【００１３】
上記構成の目地プレート１は、後端部は一方の床躯体３の後部支持凹部４に支持片１８、１８によって前部支持凹部６に支持されている先端部が上下方向へ回動可能に支持されている。
このため、地震により左右の床躯体３、３が異なる前後方向に揺れ動いた場合には、目地プレート１の先端部が前部支持凹部６内をスライド移動したり、傾斜面５上をスライド移動して、目地プレート１の先端部を上方へ回動させながら、その揺れ動きを吸収する。
【００１４】
目地プレート１をメンテナンスする場合、目地プレート１を左右の床躯体３、３より取り外さなければならないが、この場合、吊り金具１１、１１の棒状部材挿入孔１３、１３へドライバーや針金等の棒状部材１２、１２を差し込んで上方へ持ち上げ、クレーンで吊り上げられるワイヤー２２、２２に取付けられたシャックル等の取付け金具２３、２３を吊り金具１１、１１の長孔１０、１０に通して、取付けて吊り上げる。
なお、吊り金具１１、１１の棒状部材挿入孔１３、１３がゴミや土砂等で詰まっていても、棒状部材１２、１２を棒状部材挿入孔１３、１３へ押し込むことにより、該棒状部材挿入孔１３、１３内のゴミや土砂等は長孔１０、１０内へ押し込まれ、容易に吊り金具１１、１１を棒状部材挿入孔１３、１３に挿入された棒状部材１２、１２によって上方へ持ち上げることができる。
[発明を実施するための異なる形態]
【００１５】
次に、図１２ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１２ないし図１４に示す本発明を実施するための第２の形態において、前記本発明を実施するための最良の第１の形態と主に異なる点は、目地プレート本体７の先端部両側部に吊り金具収納ケース８、８、支持軸９、９、吊り金具１１、１１を設置した点で、このように構成した目地プレート１Ａにしても、目地プレート１Ａの四隅の吊り金具１１、１１、１１、１１を用いてワイヤー２２、２２、２２、２２を介してクレーンで吊り上げることができる。
【００１７】
図１５ないし図１９に示す本発明を実施するための第３の形態において、前記本発明を実施するための最良の第１の形態と主に異なる点は、支持片挿入ケース２１の吊り金具１１の収納側にコ字状の吊り金具収納側壁２４を形成し、該支持片挿入ケース２１の側面２１ａと目地プレート本体７の側面７ａとに皿ビス状の支持軸９Ａを取付けた点で、このようなコ字状の吊り金具収納側壁２４と目地プレート本体7の側壁7ａとで形成した吊り金具収納ケース８Ａ、８Ａを用いて構成した目地プレート１Ｂにしても、前記本発明を実施するための最良の第１の形態と同様な作用効果が得られる。
【００１８】
図２０ないし図２２に示す本発明を実施するための第４の形態において、前記本発明を実施するための最良の第１の形態と主に異なる点は、傾斜状態で長孔１０に貫通する１個の棒状部材挿入孔１３を形成した吊り金具１１Ａを用いた点で、このような吊り金具１１Ａを用いて構成した目地プレート１Ｃにしても、前記本発明を実施するための最良の第１の形態と同様な作用効果が得られる。
【００１９】
なお、前記本発明を実施するための各実施の形態では、棒状部材挿入孔１３が長孔１０に貫通する吊り金具１１、１１Ａについて説明したが、本発明はこれに限らず、棒状部材挿入孔１３内へ入り込んだゴミや土砂等を棒状部材１２でかき出すことができる長孔１０に貫通していない棒状部材挿入孔を形成したものを用いてもよい。
【産業上の利用可能性】
【００２０】
本発明は目地プレートを製造する産業で利用される。
【図面の簡単な説明】
【００２１】
【図１】本発明を実施するための最良の第１の形態の使用状態の平面図。
【図２】図１の２−２線に沿う断面図。
【図３】図１の要部拡大断面図。
【図４】本発明を実施するための最良の第１の形態の平面図。
【図５】図４の５−５線に沿う断面図。
【図６】吊り金具の正面図。
【図７】吊り金具の平面図。
【図８】吊り金具収納ケースおよび支持片挿入ケースの正面図。
【図９】図８の９−９線に沿う断面図。
【図１０】吊り金具を引き出す状態の説明図。
【図１１】目地プレートの吊り上げ状態の説明図。
【図１２】本発明を実施するための第２の形態の平面図。
【図１３】図１２の１３−１３線に沿う断面図。
【図１４】図１２の要部拡大断面図。
【図１５】本発明を実施するための第３の形態の平面図。
【図１６】図１５の１６−１６線に沿う断面図。
【図１７】図１５の要部拡大断面図。
【図１８】吊り金具収納ケースの平面図。
【図１９】図１８の１９−１９線に沿う断面図。
【図２０】本発明を実施するための第４の形態の平面図。
【図２１】図２０の２１−２１線に沿う断面図。
【図２２】吊り金具の説明図。
【符号の説明】
【００２２】
１、１Ａ、１Ｂ、１Ｃ：目地プレート、
２：目地部、                                                ３：床躯体、
４：後部支持凹部、                                    ５：傾斜面、            
６：前部支持凹部、                                    ７：目地プレート本体、
８、８Ａ：吊り金具収納ケース、            ９、９Ａ：支持軸、
１０：長孔、                                                １１、１１Ａ：吊り金具、
１２：棒状部材、                            １３：棒状部材挿入孔、
１４：モルタルあるいはコンクリート、
１５：床材、                                                １６：ヒンジ部材、
１７：補助目地カバー、                １８：支持片、
１９：貫通孔、                                ２０：蓋、
２１：支持片挿入ケース、                        ２２：ワイヤー、
２３：取付け金具、                                    ２４：吊り金具収納側壁。
【図１】
2009013655.tif 000003
【図２】
2009013655.tif 000004
【図３】
2009013655.tif 000005
【図４】
2009013655.tif 000006
【図５】
2009013655.tif 000007
【図６】
2009013655.tif 000008
【図７】
2009013655.tif 000009
【図８】
2009013655.tif 000010
【図９】
2009013655.tif 000011
【図１０】
2009013655.tif 000012
【図１１】
2009013655.tif 000013
【図１２】
2009013655.tif 000014
【図１３】
2009013655.tif 000015
【図１４】
2009013655.tif 000016
【図１５】
2009013655.tif 000017
【図１６】
2009013655.tif 000018
【図１７】
2009013655.tif 000019
【図１８】
2009013655.tif 000020
【図１９】
2009013655.tif 000021
【図２０】
2009013655.tif 000022
【図２１】
2009013655.tif 000023
【図２２】
2009013655.tif 000024